(57)【特許請求の範囲】
【請求項１】
二つの鉄塔間に支持された太径の電線を、前記鉄塔間に設けられた新設の鉄塔に移線して、新設の鉄塔に前記電線を支持させる移線工法において、
一方の鉄塔から、新設の鉄塔支持点間の電線の弛度を含めた電線実長を計測し、当該電線にその箇所をマーキングし、当該電線の一端に接続した耐張クランプを、一方の鉄塔に設けたがいし連から切り離し、
前記耐張クランプは、水平ヨークの中央部に二枚の板体を平行に立設して形成した特殊平行クレビスリンクの一端に垂直方向にのみ回転自在に接続し、
当該水平ヨークの両端と、前記一方の鉄塔のがいし連に接続した横長の水平ヨークの両端との間に略水平にセミ組を設け、前記耐張クランプ、特殊平行クレビスリンク及び水平ヨークは相互に回転しないように接続され、前記セミ組のワイヤを繰り出したり、引っ張ったりすることにより、移線する前記電線を繰り出したり、緊線したりできるものとし、
前記電線を前記鉄塔間に引き入れながら、当該電線を前記新設の鉄塔の支持点箇所に移線し、当該新設の鉄塔の支持点箇所の近くに設けた足場上で、前記電線のマーキング箇所を切断し、当該切断端に耐張クランプを装着して、圧縮機でこれを圧縮、固定し、当該耐張クランプを新設の鉄塔に設けたがいし連に取り付け、前記鉄塔から、前記セミ組のワイヤを引っ張って電線を戻し、かつ、緊線し、前記一方の鉄塔のがいし連に前記耐張クランプを取り付けることを特徴とする、太径の既設電線の移線工法。
【請求項２】
前記一方の鉄塔から新設の鉄塔間の電線実長の計測が、当該電線の装着物を取り外し、前記鉄塔間の、一方の鉄塔を起点とした電線実長予測箇所に、複数の測定用ターゲット金物を装着し、当該測定用ターゲット金物のみが装着された電線の、各測定用ターゲット金物の位置を地上から測定して、前記鉄塔間の、一方の鉄塔からの電線実長箇所を、各測定用ターゲット金物からの長さにより算出してこれを切断箇所としてマーキングとすることを特徴とする、前記請求項１に記載の太径の既設電線の移線工法。
【発明の詳細な説明】
【技術分野】
【０００１】
この発明は、鉄塔に懸架された既設の電線を移線し、移線先の塔上で切断して、各切断端を緊線して移線先の塔上に引き留める、現場計測及び塔上プレハブ及びカマレス工法による太径の既設電線の移線工法に関するものである。
【背景技術】
【０００２】
通常の移線工事は、既設の電線端にカムアロング（電線を把持し、既定の弛度に張り上げるときに使用する治具）を取り付け、当該カムアロングを用いて電線を移線して緊線し、弛度決定後、規定の弛度・張力となるように電線を切断して当該電線端にクランプを装着し、当該クランプを圧縮してこれを鉄塔の腕金に一端を取り付けたがいし連の先端に取り付け、工事が完了する。
【０００３】
しかしながら、近年採用されている１５２０mm2の太径電線の移線工事を前記通常の工法で行うと、緊線張力が高張力となるため、緊線時に電線を把持しているカムアロングが電線の剛性により、くるりと回転してしまい、元に戻らず、カムアロング付近で電線の素線が損傷したり、切断される可能性があり、カムアロングを用いた移線は困難であった。
【０００４】
通常、架線工法において、特許文献１に示すように、カムアロングを使用しない工法としてプレハブ架線で採用しているカマレス工法（カムアロングに替えて、圧縮クランプ端部の特殊平行クレビスリンクにカマレス金具を取り付け緊線する工法）があるが、電線を事前に適切な位置で切断し、クランプ圧縮を行う必要がある。
【０００５】
プレハブ架線とは、特許文献２に示すように、規定の弛度になる長さを有した電線を予め地上で作っておき、そのまま、がいし連に取り付けるだけで延線・緊線を完了する工法である。具体的には、予め、電線引留間の径間長、支持点高低差を測量し、各径間に対応する電線長を正確に算出する。この計算に基づき、電線製造と同時に計尺のうえマーキングを施したものを現地に搬入するか、あるいは、計尺して電線を切断し、両端に引留クランプを圧縮して取り付けた状態で現場に搬入する。
【０００６】
架線現場で、前者の場合は、延線時に補正計尺の後電線を切断し、当該電線に装着した引留クランプの圧縮を地上で行った後、延線し、がいし連に取り付ける。後者の場合は、搬入後、所定区間に延線し、両端に取り付けられた引留クランプをがいし連に取り付ける。なお、カマレス金具は、引留クランプをがいし連に取り付けるときに使用する。
【０００７】
【特許文献１】特許第３２００５５９号公報
【特許文献２】特開平６−２１７４３０号公報
【発明の開示】
【発明が解決しようとする課題】
【０００８】
しかしながら、前記１５２０mm2等の太径の既設電線の移線工事においては、前記の通り緊線時に電線へ損傷を与える恐れがあることから、カムアロングは使用できず、なおかつ、空中に架線されている状態であるため、プレハブ架線のように、地上で電線長を計測して切断し、クランプを圧縮して、電線切断端にクランプを取り付けることはできない。
【０００９】
そこでこの発明は、太径の既設電線の移線工事を確実に行うために、プレハブ架線で採用しているカマレス工法に着眼し、事前に現状の支持点位置、及び電線形状（弛度）を測定し、測定結果に基づき電線実長を算出することにより、緊線前に移線先の塔上で、予め電線切断、クランプ圧縮を行いカマレス工法にて緊線する、現場計測及び塔上プレハブ及びカマレス工法による太径の既設電線の移線工法を提供することを目的としたものである。
【課題を解決するための手段】
【００１０】
請求項１の発明は、二つの鉄塔間に支持された太径の電線を、前記鉄塔間に設けられた新設の鉄塔に移線して、新設の鉄塔に前記電線を支持させる移線工法において、一方の鉄塔から、新設の鉄塔支持点間の電線の弛度を含めた電線実長を計測し、当該電線にその箇所をマーキングし、当該電線の一端に接続した耐張クランプを、一方の鉄塔に設けたがいし連から切り離し、前記耐張クランプは、水平ヨークの中央部に二枚の板体を平行に立設して形成した特殊平行クレビスリンクの一端に垂直方向にのみ回転自在に接続し、当該水平ヨークの両端と、前記一方の鉄塔のがいし連に接続した横長の水平ヨークの両端との間に略水平にセミ組を設け、前記耐張クランプ、特殊平行クレビスリンク及び水平ヨークは相互に回転しないように接続され、前記セミ組のワイヤを繰り出したり、引っ張ったりすることにより、移線する前記電線を繰り出したり、緊線したりできるものとし、前記電線を前記鉄塔間に引き入れながら、当該電線を前記新設の鉄塔の支持点箇所に移線し、当該新設の鉄塔の支持点箇所の近くに設けた足場上で、前記電線のマーキング箇所を切断し、当該切断端に耐張クランプを装着して、圧縮機でこれを圧縮、固定し、当該耐張クランプを新設の鉄塔に設けたがいし連に取り付け、前記鉄塔から、前記セミ組のワイヤを引っ張って電線を戻し、かつ、緊線し、前記一方の鉄塔のがいし連に前記耐張クランプを取り付ける太径の既設電線の移線工法とした。
【００１１】
また、請求項２の発明は、前記請求項１に記載の発明において、前記一方の鉄塔から新設の鉄塔間の電線実長の計測が、当該電線の装着物を取り外し、前記鉄塔間の、一方の鉄塔を起点とした電線実長予測箇所に、複数の測定用ターゲット金物を装着し、当該測定用ターゲット金物のみが装着された電線の、各測定用ターゲット金物の位置を地上から測定して、前記鉄塔間の、一方の鉄塔からの電線実長箇所を、各測定用ターゲット金物からの長さにより算出してこれを切断箇所としてマーキングする、太径の既設電線の移線工法とした。
【発明の効果】
【００１３】
請求項１の発明によれば、１５２０ｍｍ２等の太径の既設電線の移線工事において、カマレス工法により緊線するため、太径の電線を回転させずに容易に緊線することができる。しかも、既設の電線の、一方の鉄塔から新設の鉄塔の支持点までの実長を計測して当該電線の切断箇所を決めた後、電線を新設の鉄塔箇所に移線し、当該新設の鉄塔上で、切断、及び耐張クランプの圧縮を行うため、移線工事をスムーズかつ容易に行うことができる。
また、太径の既設電線の、各鉄塔の端部及び切断端を耐張クランプで接続し、特殊平行クレビスリンクを介して横長の水平ヨークの両端と、鉄塔のがいし連に設けた横長の水平ヨークの両端との間に設けたセミ組のワイヤで電線を繰り出したり、引っ張って緊線するため、電線が常に一定姿勢を崩さず、捻回したりしない。これは、耐張クランプと特殊平行クレビスリンクと水平ヨークとを相互に回転しないように接続し、しかも前記水平ヨークとがいし連に接続した水平ヨークの各両端に金車を設けたセミ組を設けたため、耐張クランプが取り付けられた、剛性を有する太径の電線が捻回する力か生じても、前記水平ヨークの両端に金車を介して設けた水平なセミ組の構成に阻止され、捻回できない。それ故、太径の電線を傷つけたり、痛めたりせず、移線及び緊線を行うことができる。
【００１４】
また、請求項２の発明によれば、SRリング（難着雪リング）やＣW（カウンターウエイト）等の装着物を撤去し、現状での電線支持点位置や弛度を確認して、事前に計算した電線の切断予測位置付近に、測量用ターゲット金物を取り付け、これらの各測量用ターゲット金物に地上から光を当ててその反射光から当該各測量用ターゲット金物の位置を確認し、前記電線の、一方の鉄塔からの実長が、これらの各測量用ターゲット金物からどちら方向に何センチであるかを確認しこれを切断箇所とするため、極めて精度の良い計測となる。
【発明を実施するための最良の形態】
【００１６】
この発明は、二つの鉄塔間に支持された太径の既設電線を、前記鉄塔間に設けられた新設の鉄塔に移線して、新設の鉄塔に前記電線を支持させる移線工法において、一方の鉄塔から、新設の鉄塔支持点間の電線の弛度を含めた電線実長を計測し、当該電線にその箇所をマーキングし、当該電線の一端に接続した耐張クランプを、鉄塔に設けたがいし連から切り離し、この耐張クランプを横長の水平ヨークの中央に引き留め、当該水平ヨークの両端と前記がいし連に設けた水平ヨークの両端との間にセミ組を設けて当該セミ組のワイヤを繰り出して電線を鉄塔間に引き入れながら、当該電線を前記新設の鉄塔の支持点箇所に移線し、当該新設の鉄塔の支持点箇所の近くに設けた足場上で、前記電線のマーキング箇所を切断し、当該切断端に耐張クランプを装着して、圧縮機でこれを圧縮、固定し、当該耐張クランプを新設の鉄塔に設けたがいし連に取り付け、前記一方の鉄塔から、前記セミ組のワイヤを引っ張って電線を戻し、かつ、緊線し、前記一方の鉄塔のがいし連に前記耐張クランプを取り付ける、太径の既設電線の移線工法とした。
【００１７】
これにより、安全にかつ容易に太径の既設電線を新設の鉄塔に移線させることができる。
【実施例１】
【００１８】
以下、この発明の実施例１を図に基づいて説明する。図１はこの発明の移線工法を適用する既設の鉄塔及び新設の鉄塔の架線状況を示す概略側面図、図２はこの発明の移線工法における測量用ターゲット金物を電線に取り付けた状態を示す概略説明図、図３はこの発明の移線工法における電線の切断箇所をマーキングする概略説明図、図４はこの発明の移線工法における電線を母線に吊り金車により支持した状態を示す側面図、図５はこの発明の移線工法における母線又は電線の緊線工法を示す平面図、図６はこの発明の移線工法における母線の仮留状態を示す平面図、図７はこの発明の移線工法における電線を新設の鉄塔に移線する状態を示す概略側面図、図８は図７の詳細図、図９はこの発明の移線工法における移線した電線を新設の鉄塔に引き留めた状態を示す概略側面図、図１０は、図９の詳細図、図１１はこの発明の移線工法における新設の鉄塔の足場で、電線を切断し、これに耐張クランプを圧縮する状態を示す概略平面図、図１２はこの発明の移線工法が終了した状態を示す概略側面図である。
【００１９】
まず、図１に示すように、複数の鉄塔Ｔ１〜Ｔ５に渡って送電線（電線Ｄ）が支持されている。これらの鉄塔Ｔ２とＴ３との間に、新設の鉄塔Ｔｎを設け、この新設の鉄塔Ｔｎから電線を分岐させて電力需要家に電力を供給するため、前記鉄塔Ｔ２とＴ３との間の電線Ｄを新設の鉄塔Ｔｎに移線する工事が行われる。上記電線Ｄは１５２０ｍｍ２の太径の電線である。
【００２０】
前記新設の鉄塔Ｔｎが建設されたら、宙乗機に作業者が乗って、この電線Ｄの外周に装着された難着雪リングやカウンターウエイト等の装着物を取り外し、一方の鉄塔Ｔ２又は他方の鉄塔Ｔ３から新設の鉄塔Ｔｎまでの距離を算出し、当該距離に相応する、現在の支持点から新設の鉄塔Ｔｎで支持されると予想される電線箇所に、図２に示すように、間隔をあけて3箇所に測量用ターゲット金物１を取り付ける。この測量用ターゲント金物１は図１３に示すように、Ｕ字ボルトの両端に板体を固定し、当該板体にターゲットを設けている。
【００２１】
そして、当該電線Ｄに装着物がない状態での電線弛度や支持点間を測量し、現状での電線実長を計算する。また、これらの鉄塔Ｔ２とＴ３と新設の鉄塔Ｔｎとの間の距離や支持点からの弛度を含めた電線長を夫々計測し、前記測定用ターゲット金物１の位置を地上から光を当て光波測距儀にて測量し、図３に示すように、各測量用ターゲット金物１からどの方向に何ｃｍかを計算し、これを切断箇所Ｃとしてマーキングする。
【００２２】
その後、図４に示すように、低張力で電線の垂下を抑制するために、移線する電線Ｄとこの移線する電線Ｄの上部に位置する電線を母線Ｄ１として、これらの母線Ｄ１と電線Ｄとの間に吊り金車２を吊り下げて、電線Ｄを母線Ｄ１で支持できるようにする。この吊り金車２は、図１において、鉄塔Ｔ２と鉄塔Ｔ３との間を除き、鉄塔Ｔ１から鉄塔Ｔ５まで懸架する。
【００２３】
そして、鉄塔Ｔ１及び鉄塔Ｔ５の母線Ｄ１の引き留めを取り外し、図５に示すように、耐張クランプ３の端部に接続された特殊平行クレビスリンク４の他端を、横長の水平ヨーク５の中央部に接続し、当該水平ヨーク５の両端と、鉄塔Ｔ１又はＴ５に支持されたがいし連６の先端に設けた横長の水平ヨーク７の両端との間に金車を設けて略水平にセミ組８を設け、水平ヨーク５、特殊平行クレビスリンク４及び耐張クランプ３が回転しない構成にする。
【００２４】
そこで、図１に示すように母線Ｄ１を鉄塔Ｔ１及びＴ５側から鉄塔Ｔ２及びＴ３間に入れ込む。これには、前記各セミ組８のワイヤ８ａを繰り出す。その後、母線Ｄ１の両端を図６に示すように仮留する。この仮留には、ターンバックル９を介在させて張力を調整する。
【００２５】
一方この母線Ｄ１に吊るされた電線Ｄも、鉄塔Ｔ１及び鉄塔Ｔ５のがいし連から取り外し、前記母線Ｄ１と同様に、図5に示すように、耐張クランプ３の端部に接続された特殊平行クレビスリンク４の他端を、横長の水平ヨーク５の中央部に接続し、当該水平ヨーク５の両端と、鉄塔Ｔ１又はＴ５に支持されたがいし連６の先端に設けた横長の水平ヨーク７の両端との間に金車を設けて略水平にセミ組８を設け、水平ヨーク５、特殊平行クレビスリンク４及び耐張クランプ３が回転しない構成にする。そして、前記セミ組８のワイヤ８ａを繰り出して、図１に示すように、鉄塔Ｔ２と鉄塔Ｔ３間に電線Ｄを入れ込む。
【００２６】
この様にして電線Ｄを、図7に示すように、鉄塔Ｔ２と鉄塔Ｔ３との間の新設の鉄塔Ｔｎに移線する。この移線においては、図8に示すように電線Ｄに金車１０を載せて当該金車１０をワイヤ１１で下方に引っ張って降ろす。
【００２７】
そして、図９に示すように、新設の鉄塔Ｔｎに電線Ｄを移線したのち、図１０に示すように、当該鉄塔Ｔｎ付近の両側の電線Ｄにそれぞれカムアロング１２を打ち、セミワイヤ（セミ組）１３をセットし、さらに前記カムアロング１２の外側に2重防護用カムアロング１４を打ち、ワイヤ１５で2重防護を施す。また、その際、前記カムアロング１２の回転を防止するため、地中にスクリューアンカー１６を打ち込んで当該スクリューアンカー１６と前記カムアロング１２の間にワイヤ１７を掛ける場合もある。
【００２８】
この様にして前記セミワイヤ１３を巻き、電線Ｄを遊ばして、新設の鉄塔Ｔｎに設けた足場１８（図１１参照）上で、前記各測量用ターゲット金物１から何センチかの切断箇所2箇所をマーキングし、当該各マーキング箇所で切断する。そして、さらに、電線Ｄの切断した端部に耐張クランプ３を装着し、図１１に示すように、前記足場１８に載せた圧縮機１９により、各耐張クランプ３を圧縮し、電線Ｄ端に固定し、当該鉄塔Ｔｎに支持したがいし連２０にヨークを介して各耐張クランプ３を接続する。その後、前記セミワイヤ１３やカムアロング１２及び１４、ワイヤ１５及び１７、スクリューアンカー１６等を撤去する。
【００２９】
そして、前記鉄塔Ｔ１及び鉄塔Ｔ５において、電線Ｄを引き留めておいた前記各セミ組８のワイヤ８ａを巻き上げ、電線Ｄを鉄塔Ｔ１及び鉄塔Ｔ５側に戻す。さらに、弛度を考慮して、前記各セミ組８のワイヤ８ａを巻き上げ、鉄塔Ｔ１及び鉄塔Ｔ５のがいし連６にヨーク７を介して電線Ｄの各端部の耐張クランプ３を接続する。この様にして、図１２に示すように、鉄塔Ｔｎへの電線Ｄの移線が完了する。
【００３０】
図１３は、電線Ｄに測量用ターゲット金具１を取り付けた状態を示す斜視図である。また、図１４は図５の水平ヨーク５と特殊平行クレビスリンク４の構成を示す斜視図である。
【００３１】
以上のように、この発明は太径の既設の電線を新設の鉄塔に移線する工法において、一方の鉄塔から、新設の鉄塔支持点間の移線する電線の弛度を含めた電線実長を計測し、当該電線にその箇所をマーキングし、当該電線を新設の鉄塔に移線し、当該新設の鉄塔の足場上で電線を切断し、当該切断端に耐張クランプを圧縮機で圧縮、固定し、カマレス工法を用いて電線を緊線するため、作業が容易で、且つ既設の電線を傷めたりしない特徴を有するものである。
【図面の簡単な説明】
【００３２】
【図１】この発明の移線工法を適用する既設の鉄塔及び新設の鉄塔の架線状況を示す概略側面図である。
【図２】この発明の移線工法における測量用ターゲット金物を電線に取り付けた状態を示す概略説明図である。
【図３】この発明の移線工法における電線の切断箇所をマーキングする概略説明図である。
【図４】この発明の移線工法における電線を母線に吊り金車により支持した状態を示す側面図である。
【図５】この発明の移線工法における母線又は電線の緊線工法を示す平面図である。
【図６】この発明の移線工法における母線の仮留状態を示す平面図である。
【図７】この発明の移線工法における移線する電線を新設の鉄塔に移線する状態を示す概略側面図である。
【図８】この発明の移線工法における移線する電線を新設の鉄塔に移線する状態を示す詳細図である。
【図９】この発明の移線工法における移線した電線を新設の鉄塔に引き留めた状態を示す概略側面図である。
【図１０】この発明の移線工法における移線した電線を新設の鉄塔に引き留めた状態の詳細図である。
【図１１】この発明の移線工法における新設の鉄塔の足場で、電線を切断し、これに耐張クランプを圧縮する状態を示す概略平面図である。
【図１２】この発明の移線工法が終了した状態を示す概略側面図である。
【図１３】この発明の移線工法における電線に測量用ターゲット金具を取り付けた状態を示す斜視図である。
【図１４】この発明の移線工法に使用する緊線工具の水平ヨークと特殊平行クレビスリンクの構成を示す斜視図である。
【符号の説明】
【００３３】
Ｔ１〜Ｔ２  鉄塔                  Ｔｎ    新設の鉄塔
Ｄ          電線                  Ｄ１    母線
Ｃ          切断箇所  
１      測量用ターゲット金具      ２      吊り金車
３      耐張クランプ              ４      特殊平行クレビスリンク
５      水平ヨーク                ６      がいし連
７      水平ヨーク                ８      セミ組
９      ターンバックル            １０    金車
１１    ワイヤ                    １２    カムアロング
１３    セミワイヤ                １４    カムアロング
１５    ワイヤ                    １６    スクリューアンカー
１７    ワイヤ                    １８    足場
１９    圧縮機                    ２０    がいし連
【図１】
0005597483.tif 000002
【図２】
0005597483.tif 000003
【図３】
0005597483.tif 000004
【図４】
0005597483.tif 000005
【図５】
0005597483.tif 000006
【図６】
0005597483.tif 000007
【図７】
0005597483.tif 000008
【図８】
0005597483.tif 000009
【図９】
0005597483.tif 000010
【図１０】
0005597483.tif 000011
【図１１】
0005597483.tif 000012
【図１２】
0005597483.tif 000013
【図１３】
0005597483.tif 000014
【図１４】
0005597483.tif 000015